(57)【要約】【課題】プラスチック及び金属片を含む混合廃棄物から金属片を好適に分別する。【解決手段】回転テーブル１２を有する竪型ローラミル１の回転テーブル１２上にプラスチック及び金属片を含む混合廃棄物を投入する。回転テーブル１２と、回転テーブル１２の上方に設けられた粉砕ローラ１３とにより混合廃棄物を粉砕する。回転テーブル１２の下方から導入したガスにより、粉砕物を上方に吹き上げる。回転テーブル１２からの落下物を回収する。【選択図】図１
2017013024.tif 000002
【特許請求の範囲】
【請求項１】
回転テーブルを有する竪型ローラミルの前記回転テーブル上にプラスチック及び金属片を含む混合廃棄物を投入する工程と、
前記回転テーブルと、前記回転テーブルの上方に設けられた粉砕ローラとにより前記混合廃棄物を粉砕する工程と、
前記回転テーブルの下方から導入したガスにより、前記粉砕物を上方に吹き上げる工程と、
前記回転テーブルからの落下物を回収する工程と、
を備える、プラスチック及び金属片を含む混合廃棄物からの金属片の回収方法。
【請求項２】
前記混合廃棄物のうち金属片以外の廃棄物が前記ガスにより上方に吹き上がるような大きさになるように前記混合廃棄物を粉砕する、請求項１に記載のプラスチック及び金属片を含む混合廃棄物からの金属片の回収方法。
【請求項３】
前記回転テーブル上に吹き上がらずに残存した残存物を、前記回転テーブルが回転することにより生じる遠心力により前記回転テーブルから落下させる、請求項１又は２に記載のプラスチック及び金属片を含む混合廃棄物からの金属片の回収方法。
【発明の詳細な説明】
【技術分野】
【０００１】
本発明は、プラスチック及び金属片を含む混合廃棄物からの金属片の回収方法に関する。
【背景技術】
【０００２】
プラスチック及び金属片を含む混合廃棄物の処理方法が種々知られている。例えば、特許文献１には、プラスチックを含む混合廃棄物を粗破砕し、該粗破砕物を風力選別し、軽量分と重量分とに分別することが記載されている。特許文献１には、軽量分には、主に、軟質の廃プラスチックや、繊維類等が含まれ、重量分には、主に、金属類廃棄物、土石類廃棄物、大径の硬質の廃プラスチック等が分別される旨が記載されている。
【先行技術文献】
【特許文献】
【０００３】
【特許文献１】特開２０１０−２１４６７７号公報
【発明の概要】
【発明が解決しようとする課題】
【０００４】
ところで、金属片のリサイクルを促進する観点から、プラスチック及び金属片を含む混合廃棄物から、金属片を他の廃棄物から分別して回収したいという要望がある。
【０００５】
しかしながら、特許文献１に記載の処理方法では、重量分に、金属類廃棄物のみならず、土石類廃棄物等が含まれる。このため、特許文献１に記載の処理方法では、金属類廃棄物と土石類廃棄物とを分別することができない。よって、金属類廃棄物を好適に回収することが困難である。
【０００６】
本発明の主な目的は、プラスチック及び金属片を含む混合廃棄物から金属片を好適に分別することにある。
【課題を解決するための手段】
【０００７】
本発明に係るプラスチック及び金属片を含む混合廃棄物からの金属片の回収方法では、回転テーブルを有する竪型ローラミルの回転テーブル上にプラスチック及び金属片を含む混合廃棄物を投入する。回転テーブルと、回転テーブルの上方に設けられた粉砕ローラとにより混合廃棄物を粉砕する。回転テーブルの下方から導入したガスにより、粉砕物を上方に吹き上げる。回転テーブルからの落下物を回収する。
【０００８】
本発明に係るプラスチック及び金属片を含む混合廃棄物からの金属片の回収方法では、回転テーブルの下方から導入したガスにより、粉砕物を上方に吹き上げる。このため、混合廃棄物のうち高比重な金属片以外の低比重な廃棄物が回転テーブルから落下しにくい。回転テーブルからの落下物は実質的に高比重な金属片となる。従って、回転テーブルからの落下物を回収することにより金属片を好適に回収することができる。
【０００９】
本発明に係るプラスチック及び金属片を含む混合廃棄物からの金属片の回収方法では、混合廃棄物のうち金属片以外の廃棄物がガスにより上方に吹き上がるような大きさになるように混合廃棄物を粉砕することが好ましい。
【００１０】
本発明に係るプラスチック及び金属片を含む混合廃棄物からの金属片の回収方法では、回転テーブル上に吹き上がらずに残存した残存物を、回転テーブルが回転することにより生じる遠心力により回転テーブルから落下させることが好ましい。
【発明の効果】
【００１１】
本発明によれば、プラスチック及び金属片を含む混合廃棄物から金属片を好適に分別することができる。
【図面の簡単な説明】
【００１２】
【図１】本発明の一実施形態に係る竪型ローラミルの模式図である。
【発明を実施するための形態】
【００１３】
以下、本発明を実施した好ましい形態の一例について説明する。但し、下記の実施形態は、単なる例示である。本発明は、下記の実施形態に何ら限定されない。
【００１４】
（竪型ローラミル１）
図１は、本実施形態に係る竪型ローラミル１の模式図である。本実施形態では、図１に示す竪型ローラミル１を用いて、プラスチック及び金属片を含む混合廃棄物（以下、単に「混合廃棄物」ということがある。）から金属片を回収する。まず、図１を参照しながら、竪型ローラミル１の構成について説明する。
【００１５】
竪型ローラミル１は、筒状の本体部１０を備えている。本体部１０の内部には、粉砕部１１が設けられている。この粉砕部１１において、混合廃棄物を粉砕する。粉砕部１１は、回転テーブル１２と粉砕ローラ１３とを備えている。
【００１６】
回転テーブル１２は、電動機１４に接続されている。回転テーブル１２は、電動機１４によって回転駆動される。回転テーブル１２の軸心は、鉛直方向に延びている。
【００１７】
回転テーブル１２の上方には、複数の粉砕ローラ１３が設けられている。複数の粉砕ローラ１３は、回転テーブル１２の周方向に沿って等間隔に設けられている。粉砕ローラ１３は、粉砕ローラ１３の周面が回転テーブル１２の上面と対向するように設けられている。粉砕ローラ１３は、回転テーブル１２の回転に伴って回転する。これに伴い、回転テーブル１２の上面と粉砕ローラ１３の周面とにより混合廃棄物が粉砕される。
【００１８】
本体部１０には、投入部１５が取り付けられている。投入部１５には、混合廃棄物が供給される。投入部１５は、供給された混合廃棄物が回転テーブル１２上に投入されるように設けられている。詳細には、投入部１５は、回転テーブル１２の上面のうち、粉砕ローラ１３が位置している部分よりも軸心側の部分に、混合廃棄物が投入されるように設けられている。
【００１９】
本体部１０の回転テーブル１２よりも下側の部分には、ガス供給口１６が接続されている。ガス供給口１６から本体部１０にガスが供給される。供給されたガスは、本体部１０の頂部に接続された排出口１７から排出される。
【００２０】
本体部１０内には分級機１８が設けられている。分級機１８は、ガス供給口１６から供給されたガスが分級機１８を経由して排出口１７から排出されるように設けられている。
【００２１】
（竪型ローラミル１を用いた混合廃棄物からの金属片の回収方法）
次に、竪型ローラミル１を用いた混合廃棄物からの金属片の回収方法について説明する。
【００２２】
まず、プラスチック及び金属片を含む混合廃棄物を投入部１５に供給する。供給された混合廃棄物は、回転テーブル１２上に投入される。
【００２３】
投入された混合廃棄物は、回転テーブル１２が回転することにより、回転テーブル１２と粉砕ローラ１３とにより粉砕される。但し、金属片等の展延性を有する固体は粉砕されない場合がある。プラスチックや礫等の展延性を有さない固体は粉砕される。
【００２４】
粉砕物は、ガス供給口１６から供給され回転テーブル１２の下方から導入されたガスにより、上方に吹き上げられる。吹き上げられた粉砕物のうち分級機１８を通過した粉砕物は、排出口１７から排出される。吹き上げられた粉砕物のうち分級機１８を通過しなかった粉砕物は、回転テーブル１２上に落下し、再び粉砕される。このようにして、混合廃棄物のうち金属片以外の廃棄物がガスにより上方に吹き上がるような大きさになるように粉砕される。
【００２５】
一方、金属片は比重が高く、且つ、粉砕されないため、吹き上がらず回転テーブル１２上に残存する。回転テーブル１２上の残存物は、回転テーブル１２が回転することにより生じる遠心力により、回転テーブル１２から落下する。落下した残存物は、開口部１９を経て本体部１０から取り出され、回収される。
【００２６】
以上説明したように、本実施形態では、回転テーブル１２の下方から導入したガスにより、粉砕物を上方に吹き上げる。このため、混合廃棄物のうち高比重な金属片以外の低比重な廃棄物が回転テーブル１２から落下しにくい。回転テーブル１２からの落下物は実質的に高比重な金属片となる。従って、回転テーブル１２からの落下物を回収することにより金属片を好適に回収することができる。
【符号の説明】
【００２７】
１  竪型ローラミル
１０  本体部
１１  粉砕部
１２  回転テーブル
１３  粉砕ローラ
１４  電動機
１５  投入部
１６  ガス供給口
１７  排出口
１８  分級機
１９  開口部
【図１】
2017013024.tif 000003